(57)【要約】      （修正有）【課題】より高性能な水素吸引具を提供すること【解決手段】水素吸引具１は、水素供給装置側の管路に着脱自在に連結可能な連結部５と、連結部は、水素供給装置に接続するための連結端部５ｂ、連結管部３に接続される連結管側端部５ａと、その間を繋ぐ連結本体部５ｃとを有している。水素を放出するための貫通孔が形成され、貫通孔部分は吸引主体の口内部に収納可能な形状に形成された、口内部７と、連結部と口内部とを連結する、管状の連結管部３と、を有する。【選択図】図１
2018202050.tif 000002
【特許請求の範囲】
【請求項１】
水素供給装置側の管路に着脱自在に連結可能な連結部と、
水素を放出するための貫通孔が形成され、
少なくとも、前記貫通孔部分は吸引主体の口腔内に収納可能な形状に形成された、
口内部と、
前記連結部と前記口内部とを連結する、管状の連結管部と、を有する
水素吸引具。
【請求項２】
前記口内部は、輪状に形成されている
請求項１に記載の水素吸引具。
【請求項３】
前記貫通孔は、
前記口内部の輪を形成する回転中心の軸と、
前記貫通孔を含む
断面視において、
輪の断面中心から見て、斜め外側方向に向かって貫通している
請求項１又は２に記載の水素吸引具。
【請求項４】
前記貫通孔は、表側及び裏側の両面に形成されている
請求項１〜３いずれか１項に記載の水素吸引具。
【請求項５】
前記貫通孔は、複数形成されており、等間隔に形成されている
請求項１〜４いずれか１項に記載の水素吸引具。
【発明の詳細な説明】
【技術分野】
【０００１】
本発明は、水素を吸引する器具に関する。
【背景技術】
【０００２】
特許文献１には、水素吸引装置の技術が開示されている。
【先行技術文献】
【特許文献】
【０００３】
【特許文献１】特開２０１４―０６１２７５号公報
【発明の概要】
【発明が解決しようとする課題】
【０００４】
しかしながら、より確実に水素を吸引したいという需要がある。
【０００５】
本発明は、より高性能な水素吸引具を提供することである。
【課題を解決するための手段】
【０００６】
本発明の第１の観点における水素吸引具１は、水素供給装置側の管路に着脱自在に連結可能な連結部と、水素を放出するための貫通孔が形成され、少なくとも、前記貫通孔部分は吸引主体の口腔内に収納可能な形状に形成された、口内部と、前記連結部と前記口内部とを連結する、管状の連結管部と、を有する。
【０００７】
好適には、前記口内部は、輪状に形成されている。
【０００８】
好適には、前記貫通孔は、前記口内部の輪を形成する回転中心の軸と、前記貫通孔を含む断面視において、輪の断面中心から見て、斜め外側方向に向かって貫通している。
【０００９】
好適には、前記貫通孔は、表側及び裏側の両面に形成されている。
【００１０】
好適には、前記貫通孔は、複数形成されており、等間隔に形成されている。
【発明の効果】
【００１１】
本発明における水素吸引具によって、より高性能な水素吸引具を提供することが可能となった。
【図面の簡単な説明】
【００１２】
【図１】本発明の第１の実施形態に係る水素吸引具を示す説明図である。
【図２】口内部の形状の説明図である。
【図３】水素吸引具の使用状態の説明図である。
【発明を実施するための形態】
【００１３】
＜第１の実施形態＞
図１は、本発明の第１の実施形態に係る水素吸引具１を示す説明図である。
【００１４】
図１の様に、水素吸引具１は、連結部５、連結管部３及び口内部７を有している。
連結部５は、水素供給装置１０１（図３参照）連結される。
連結部５は、水素供給装置１０１に接続するための連結端部５ｂ、連結管部３に接続される連結管側端部５ａと、その間を繋ぐ連結本体部５ｃとを有している。
連結端部５ｂ、連結管側端部５ａ及び連結本体部５ｃは、それぞれ、管状の形状を有している。そして、その管状の内部を水素が通過可能である。
連結端部５ｂは、水素供給装置１０１に形成された水素が吐出される管の端部の穴形状部分に挿入される。そのため、連結端部５ｂは、水素が漏れ出さないように、複数の節を有しており、これによって密閉される。
また、連結端部５ｂは、水素供給装置１０１より延長管１０２を介して取り付け/取り外し可能に形成されている。
【００１５】
連結管部３は、管状形状を有している。この管状の内部を水素が通過可能である。
連結管部３は、連結部側端部３ｂと、口内部側端部３ａとその間を連結する連結部本体部３ｃとを有している。
そして、連結部側端部３ｂは、連結管側端部５ａと連結している。
口内部側端部３ａと口内部７の口側連結管側端部７ｂとは連結されている。
【００１６】
図２は、口内部７の形状の説明図である。
より具体的には、図２（ａ）は、口内部７の平面図であり、図２（ｂ）は、輪状の口内部７の断面図である。
【００１７】
図２（ａ）の様に、口内部７は、吸引主体（人間並びに犬、猫、その他動物）の口内（口腔内）に挿入可能な大きさで形成されている。
口内部７は、口内部本体７ｃと、口内部本体７ｃに形成された貫通孔７ａと、連結管部３に接続される部分である口側連結管側端部７ｂとを有している。
この貫通孔７ａを通過して吸引主体の口腔内に水素が供給されることになる。
口内部本体７ｃは、内部が中空の管となっている輪形状である。
つまり、円中心Ｃ２を中心とした円筒形状（図２（ｂ）参照）を、回転中心軸Ｃ１を中心にして回転体形状を有している。
そして、円中心Ｃ２が回転によって、移動する奇跡が小輪中心軸ｌである。
貫通孔７ａは、口内部７の輪を形成する回転中心の軸Ｃ１と、貫通孔７ａを含む断面視（図２（ｂ）参照）において、輪の断面中心Ｃ２から見て、斜め外側方向に向かって貫通している。
これによって、吸引主体における、水素をより高濃度で提供したい位置（口内の歯茎部分など）に直接水素を供給することが可能となる。
この貫通孔７ａは、図２の表側及び裏側にそれぞれ形成されている。
また、この貫通孔７ａは、図２の様に等間隔に６つ形成されている。また、図２の裏側も同様である。
貫通孔７ａの位置及び個数は自由に変更可能である。
また、貫通孔７ａの方向は、図２（ｂ）の方向に限定する趣旨ではない。
例えば、他の方向に向かって貫通させてもよい。例えば、中央方向側に貫通させて、舌や、上あご内部などに向けてもよい。
【００１８】
つまり、貫通孔７ａを介して供給される水素を特に供給したい部分に向けて形成するとよい。
例えば、歯に供給したいのであれば、吸引主体の歯が位置することが予想される方向に向けて、貫通孔７ａを形成する。
他に、下、口腔内のほほ、上あごなど、その供給したい方向は自由に選択できる。
なお、例えば一種の健康増進器・治療器として、水素吸引具１を使用する場合は、健康増進・治療したい部分に向けて、貫通孔７ａは形成される。
これによって、よりピンポイントで健康増進・治療を図ることが可能である。
【００１９】
図３は、水素吸引具１の使用状態の説明図である。
【００２０】
図３の様に、水素吸引具１の口内部７は、吸引主体の口腔内に位置させる。
そして、口内の歯茎部分などに、水素が供給される。
また、水素供給装置１０１が発生した、水素は、延長管１０２を介して、連結部５及び連結管部３内部を通過して口内部７に供給される。
そして、口内部７に位置した貫通孔７ａを通過して、吸引主体の口腔内の目標地点に照射される。
【００２１】
なお、吸引主体は、人間並びに犬、猫、その他動物であってよい。
また、水素吸引具１は、例えば、プラスチック、シリコン、ゴム等で形成される。
ただし、水素吸引具１を形成する材質は、可撓性を有していることが望ましい。
また、万が一、吸引主体が飲み込んだ場合に備えて、有害成分の少ない物質で形成することが好ましい。
なお、上記実施形態では、水素と記載したが、水素単独である必要は無く、酸素、窒素等の空気との混合であっても問題ない。あくまで、水素吸引とは、大気中よりもより高濃度の水素を含んでいるという意味に過ぎない。
水素供給装置１０１は、水素を例えば電気分解で生成するものであってもよい。また、単に、水素ボンベ等であってもよい。つまり、水素を供給できるものであればどのようなものでもよい。
【００２２】
＜実施形態の構成及び効果＞
水素吸引具１は、水素供給装置１０１側の管路に着脱自在に連結可能な連結部５と、水素を放出するための貫通孔７ａが形成されている。
また、水素吸引具１は、少なくとも、貫通孔７ａ部分は吸引主体の口腔内に収納可能な形状に形成された、口内部７と、連結部５と口内部７とを連結する、管状の連結管部３と、を有する。
このような構成を有することから、より高性能な水素吸引具１を提供することが可能となった。
【００２３】
前記口内部７は、輪状に形成されている。
このような構成を有することから、吸引主体の口腔内に均等に水素を供給することが可能となっている。
【００２４】
貫通孔７ａは、口内部７の輪を形成する回転中心の軸Ｃ１と、貫通孔７ａを含む断面視（図２（ｂ）参照）において、輪の断面中心Ｃ２から見て、斜め外側方向に向かって貫通している。
このような構成を有することから、歯茎等に直接水素を供給することが可能となる。
【００２５】
貫通孔７ａは、表側及び裏側の両面に形成されている。
このような構成を有することから、吸引主体の上下の歯、上下のあご等に直接水素を同時に吹き付け（供給）することが可能となっている。
【００２６】
貫通孔７ａは、複数形成されており、等間隔に形成されている。
このような構成を有することから、水素を比較的均一に供給することが可能となる。
【００２７】
本発明の、構造は、本発明の要旨を変更しない範囲で、様々に変更可能である。
例えば、２つ以上の部材を１つにすることも可能である。
また、上記実施形態は、あくまでも、現在のところの最良の形態の１つにすぎない。
【符号の説明】
【００２８】
１      ：水素吸引具
２      ：平成
３      ：連結管部
３ａ    ：口内部側端部
３ｂ    ：連結部側端部
３ｃ    ：連結部本体部
５      ：連結部
５ａ    ：連結管側端部
５ｂ    ：連結端部
５ｃ    ：連結本体部
７      ：口内部
７ａ    ：貫通孔
７ｂ    ：口側連結管側端部
７ｃ    ：口内部本体
１０１  ：水素供給装置
１０２  ：延長管
【図１】
2018202050.tif 000003
【図２】
2018202050.tif 000004
【図３】
2018202050.tif 000005